(57)【要約】【課題】サイマル放送サービスにより提供される番組を選局する際の利便性を向上させること。【解決手段】受信装置は、放送番組の中から同一の番組内容で解像度が異なるサイマル番組を検出する検出部と、特定の番組のサイマル番組が検出部により検出された場合、特定の番組のサイマル番組があることを示す通知情報を出力する通知部と、を備える。【選択図】図１
2020022138.tif 000002
【特許請求の範囲】
【請求項１】
放送番組の中から同一の番組内容で解像度が異なるサイマル番組を検出する検出部と、
特定の番組のサイマル番組が前記検出部により検出された場合、前記特定の番組のサイマル番組があることを示す通知情報を出力する通知部と、
を備える受信装置。
【請求項２】
前記通知部は、
前記特定の番組のサイマル番組があることを示す表示情報を前記通知情報として出力する、
請求項１に記載の受信装置。
【請求項３】
前記通知部は、
前記特定の番組のサイマル番組があることを示す表示情報と、前記特定の番組のサイマル番組を選択可能な操作子を示す表示情報とを前記通知情報として出力する、
請求項１または請求項２に記載の受信装置。
【請求項４】
前記特定の番組は、選局中の番組であり、
前記通知部は、
前記受信装置の電源が起動されたタイミング、または選局中の番組が切り替えられたタイミングに応じて、前記通知情報を出力する、
請求項１から請求項３のいずれか一項に記載の受信装置。
【請求項５】
前記通知部は、
前記選局中の番組の受信品質が所定の品質未満であり、且つ前記選局中の番組のサイマル番組が前記所定の品質以上である場合に、前記通知情報を出力する、
請求項４に記載の受信装置。
【請求項６】
前記通知部は、
前記選局中の番組のサイマル番組への切り替えを促す情報を、前記通知情報として出力する、
請求項５に記載の受信装置。
【請求項７】
前記特定の番組は、録画対象の番組であり、
前記通知部は、
前記録画対象の番組の録画を予約または開始する操作が行われるタイミングに応じて、前記通知情報を出力する、
請求項１から請求項３のいずれか一項に記載の受信装置。
【請求項８】
前記通知部は、
前記特定の番組よりも低い解像度のサイマル番組がある場合、前記通知情報を出力する、
請求項１から請求項７のいずれか一項に記載の受信装置。
【請求項９】
受信装置における制御方法であって、
検出部が、放送番組の中から同一の番組内容で解像度が異なるサイマル番組を検出するステップと、
通知部が、特定の番組のサイマル番組が前記検出部により検出された場合、前記特定の番組のサイマル番組があることを示す通知情報を出力するステップと、
を有する制御方法。
【請求項１０】
コンピュータに、
放送番組の中から同一の番組内容で解像度が異なるサイマル番組を検出するステップと、
特定の番組のサイマル番組が検出された場合、前記特定の番組のサイマル番組があることを示す通知情報を出力するステップと、
を実行させるためのプログラム。
【発明の詳細な説明】
【技術分野】
【０００１】
本発明は、受信装置、制御方法、及びプログラムに関する。
【背景技術】
【０００２】
従来、放送サービスの１つとしてサイマル放送（同時並行放送、ｓｉｍｕｌｃａｓｔ：ｓｉｍｕｌｔａｎｅｏｕｓ  ｂｒｏａｄｃａｓｔｉｎｇ）が行われてきた。サイマル放送とは、１つの放送局が同じ時間帯に同じ内容の番組を、異なるチャンネル（周波数）、放送方式、放送媒体で伝送する放送サービスである。他方、近年では、高精細度テレビジョン放送（ＨＤＴＶ：Ｈｉｇｈ-Ｄｅｆｉｎｉｔｉｏｎ  Ｔｅｌｅｖｉｓｉｏｎ）を超える飛躍的な高画質化に資する映像技術等の研究開発や国際標準化が進められている。具体的には、一般社団法人電波産業会（ＡＲＩＢ：Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓ）により、４Ｋ（例えば、３８４０×２１６０画素）・８Ｋ（例えば、７６８０×４３２０画素）の超高解像度に対応した超高精細度テレビジョン放送（ＵＨＤＴＶ：Ｕｌｔｒａ  Ｈｉｇｈ-Ｄｅｆｉｎｉｔｉｏｎ  Ｔｅｌｅｖｉｓｉｏｎ）の規格化が進められている。
【０００３】
このような超高精細度テレビジョン放送の開始に伴い、同じ内容の番組について、異なる複数の解像度の映像を、放送や通信を介して伝送するサイマル放送が考えられる。特に４Ｋ・８Ｋ放送の開局当初は、４Ｋ・８Ｋ放送の独自の番組（非サイマル放送）が少なく、サイマル放送主体の編成となることが想定される。このようなサイマル放送が行われた場合、より高精細な高解像度の映像を優先して表示する技術が開示されている（例えば、特許文献１）。
【先行技術文献】
【特許文献】
【０００４】
【特許文献１】特開２０１６−１００８４５号公報
【発明の概要】
【発明が解決しようとする課題】
【０００５】
しかしながら、サイマル放送を視聴または録画するときには必ずしも高精細な映像をユーザが望むとは限らない。例えば、ユーザの受信環境により低解像度の映像の方がブロックノイズの発生などが少なく受信品質が良好な場合がある。また、高解像度の映像を録画するには相応の多くの記憶容量が必要となるため、録画する番組によって低解像度の映像で録画したい場合もある。そのため、高解像度の映像が優先して選局されるのみでは、ユーザの受信環境や用途によっては利便性が良くない場合があった。
【０００６】
本発明は上記の点に鑑みてなされたものであり、サイマル放送サービスにより提供される番組を選局する際の利便性を向上させることができる受信装置、制御方法、及びプログラムを提供することを課題とする。
【課題を解決するための手段】
【０００７】
本発明は上記の課題を解決するためになされたものであり、本発明の一態様は、放送番組の中から同一の番組内容で解像度が異なるサイマル番組を検出する検出部と、特定の番組のサイマル番組が前記検出部により検出された場合、前記特定の番組のサイマル番組があることを示す通知情報を出力する通知部と、を備える受信装置である。
【０００８】
また、本発明の一態様は、受信装置における制御方法であって、検出部が、放送番組の中から同一の番組内容で解像度が異なるサイマル番組を検出するステップと、通知部が、特定の番組のサイマル番組が前記検出部により検出された場合、前記特定の番組のサイマル番組があることを示す通知情報を出力するステップと、を有する制御方法である。
【０００９】
また、本発明の一態様は、コンピュータに、放送番組の中から同一の番組内容で解像度が異なるサイマル番組を検出するステップと、特定の番組のサイマル番組が検出された場合、前記特定の番組のサイマル番組があることを示す通知情報を出力するステップと、を実行させるためのプログラムである。
【発明の効果】
【００１０】
本発明によれば、サイマル放送サービスにより提供される番組を選局する際の利便性を向上させることができる。
【図面の簡単な説明】
【００１１】
【図１】第１の実施形態に係る放送システムの概要を示す図。
【図２】第１の実施形態に係る受信装置の構成の一例を示すブロック図。
【図３】外字の一例を示す図。
【図４】サイマル番組管理テーブルの一例を示す図。
【図５】第１の実施形態に係るサイマル番組検出処理の一例を示すフローチャート。
【図６】第１の実施形態に係るサイマル番組通知処理の一例を示すフローチャート。
【図７】第２の実施形態に係るオンスクリーン表示させる表示情報の一例を示す図。
【図８】第２の実施形態に係るサイマル番組通知処理の一例を示すフローチャート。
【図９】第３の実施形態に係るオンスクリーン表示させる表示情報の一例を示す図。
【図１０】第３の実施形態に係るサイマル番組通知処理の一例を示すフローチャート。
【発明を実施するための形態】
【００１２】
［第１の実施形態］
（放送システムの概要）
以下、図面を参照しながら本発明の第１の実施形態について説明する。
本実施形態に係る放送システムは、少なくとも一部の番組において同一の番組内容で映像フォーマットが異なる複数の番組を同時に放送するサイマル放送を提供するシステムである。以下では、サイマル放送される番組を、サイマル番組またはサイマル放送番組と称する。ここで、映像フォーマットとは、映像の精細度に関する映像の解像度、フレームレート、及び走査方式を含む。本実施形態においては、同一内容の番組で解像度が異なる複数の映像のサイマル番組を放送するサイマル放送サービスを例に説明する。
【００１３】
図１は、本実施形態に係る放送システムの概要を示す図である。
放送局（放送事業者）２０から送信されるデジタル放送の電波は、放送衛星３０を介して受信装置１０へ送信される。例えば、デジタル放送のメディアトランスポート方式としては、ＡＲＩＢ  ＳＴＤ−６０規格に記載のＭＭＴ（ＭＰＥＧ  Ｍｅｄｉａ  Ｔｒａｎｓｐｏｒｔ）方式が用いられている。デジタル放送では、番組データ及び構成データ等の多重化データがＭＭＴＰ（ＭＭＴ  Ｐｒｏｔｏｃｏｌ）パケット化されて伝送される。構成データは、番組の構成などを示すデータであり、ＭＭＴ−ＳＩ（ＭＭＴ−Ｓｙｓｔｅｍ  Ｉｎｆｏｒｍａｔｉｏｎ）などが含まれる。
【００１４】
また、デジタル放送の少なくとも一部にはサイマル放送が含まれている。例えば、解像度が８Ｋの映像と２Ｋの映像とが同時に放送されるサイマル放送や、解像度が４Ｋの映像と２Ｋの映像とが同時に放送されるサイマル放送などが行われる。例えば、受信装置１０で４Ｋ映像のサイマル番組が選局されて４Ｋ映像が視聴されている場合、同一内容の２Ｋ映像のサイマル番組がある旨を画面にオンスクリーン表示（例えば、ダイアログ表示）させてユーザに通知する（図１の符号Ｄ１が示すダイアログ表示参照）。これにより、ユーザは、現在視聴中の映像より低解像度のサイマル番組があることを知ることができ、高解像度の映像で良ければそのまま視聴を続け、低解像度の映像の方が良い場合には、２Ｋのサイマル番組に切り替えて視聴することができる。
【００１５】
（受信装置の構成）
図２は、本実施形態に係る受信装置の構成の一例を示すブロック図である。受信装置１０は、デジタル放送の番組を再生可能な電子機器である。例えば、受信装置１０は、テレビ（テレビジョン）であるとして説明する。受信装置１０は、放送衛星３０から送信される放送波の電波を不図示のパラボラアンテナを介して受信する。例えば、受信装置１０は、放送受信部１１と、通信部１２と、操作受付部１３と、音声出力部１４と、表示部１５と、記憶部１６と、制御部１７とを備えている。
【００１６】
放送受信部１１は、チャンネル切り替えを行うチューナーを含んで構成されている。放送受信部１１は、パラボラアンテナを介して受信した放送波の放送信号のうち選択されたチャンネルの放送信号を制御部１７に供給する。
通信部１２は、ネットワークインターフェースを含み、インターネットなどのネットワークと接続する。通信部１２は、ネットワークに接続された他の装置との間で情報を双方向に通信する。
【００１７】
操作受付部１３は、赤外線通信用インターフェースを含み、受信装置１０を操作するためのリモートコントローラＲＣと通信する。操作受付部１３は、リモートコントローラＲＣに設けられた操作子に対してユーザが操作することにより出力される操作信号を受け付け、当該操作信号に基づいて受信装置１０に対する操作指示（電源ＯＮ／ＯＦＦの切り替え指示、チャンネルの切り替え指示など）を示す情報を制御部１７に出力する。ユーザが行う操作には、受信装置１０の特定の機能を制御するための操作子（電源ＯＮ／ＯＦＦの操作子や、チャンネル選択の操作子など）に対する操作もあれば、画面上にオンスクリーン表示された操作子としてのアイコンなどを選択するための操作子（上、下、左、または右方向を選択する操作子、決定を選択する操作子など）に対する操作もある。また、操作受付部１３は、受信装置１０に設けられた操作子に対するユーザの操作に基づく操作信号を受け付けてもよい。
【００１８】
音声出力部１４は、スピーカーなどを含んで構成されている。音声出力部１４は、後述する音声処理部１７３から取得した音声信号に基づく音声を出力する。
表示部１５は、液晶ディスプレイ装置、有機ＥＬディスプレイ装置などのディスプレイ装置を含んで構成されている。表示部１５は、後述する映像処理部１７４から取得した映像信号に基づいて、番組の映像や電子番組表、オンスクリーン表示などの画像を表示する。
【００１９】
記憶部１６は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）を含み、その他に不揮発メモリ、ＨＤＤ（Ｈａｒｄ  Ｄｉｓｋ  Ｄｒｉｖｅ）などを含むことができる。例えば、記憶部１６は、受信装置１０が含むＣＰＵ（Ｃｅｎｔｒａｌ  Ｐｒｏｃｅｓｓｉｎｇ  Ｕｎｉｔ）が各種の処理を実行するための各種プログラムやＣＰＵが実行した処理の結果などを記憶する。また、記憶部１６は、ビデオメモリを含み、表示部１５が表示する映像を示す映像信号を記憶する。
【００２０】
制御部１７は、操作受付部１３が受け付けた操作信号に基づいて、受信装置１０の各種の機能を制御する。例えば、制御部１７は、操作受付部１３が受け付けた操作信号に基づいて、電源ＯＮ／ＯＦＦの切り替え、チャンネルの切り替え（選局）などを制御する。例えば、制御部１７は、復調部１７１と、分離部１７２と、音声処理部１７３と、映像処理部１７４と、サイマル処理部１７５とを備えている。
【００２１】
復調部１７１は、放送受信部１１から制御部１７に供給された放送信号を復調する。復調部１７１は、復調した放送信号を分離部１７２に供給する。
分離部１７２は、復調部１７１から供給された放送信号に含まれる各種情報を分離して、分離された各種情報を各機能部に供給する。具体的には、分離部１７２は、放送信号から映像信号と音声信号とデータ信号とを分離する。そして、分離部１７２は、分離した映像信号を映像処理部１７４に供給し、分離した音声信号を音声処理部１７３に供給する。また、分離部１７２は、分離したデータ信号をサイマル処理部１７５に供給する。データ信号には、ＭＭＴ−ＳＩなどの情報が含まれ、電子番組表（ＥＰＧ）の生成にも利用される番組情報データが含まれる。
【００２２】
音声処理部１７３は、分離部１７２から音声信号を取得し、取得した音声信号を復号化する。音声処理部１７３は、復号化した音声信号を音声出力部１４に出力する。これにより、音声出力部１４は、選局されている番組の音声を出力する。
【００２３】
映像処理部１７４は、分離部１７２から映像信号を取得し、取得した映像信号を復号化する。映像処理部１７４は、復号化した映像信号を表示部１５に出力する。また、映像処理部１７４は、操作受付部１３が受け付けた操作信号に基づいて、電子番組表、オンスクリーン表示などの画像を表示部１５に出力する。これにより、表示部１５は、選局されている番組の映像、電子番組表、オンスクリーン表示などの画像を表示する。
【００２４】
サイマル処理部１７５は、サイマル検出部１７５１と、サイマル管理部１７５２と、サイマルデータベース部１７５３と、サイマル選択表示部１７５４とを備えている。
【００２５】
サイマル検出部１７５１は、放送番組の中から同一内容の番組で解像度が異なるサイマル番組を検出する。例えば、サイマル検出部１７５１は、分離部１７２で分離した各番組の番組情報データ（ＢｒｏａｄｃａｓｔｅｒＩＤ、タイトル名、番組の開始時間、番組終了時間など）に基づいて、サイマル番組を検出する。具体的には、サイマル検出部１７５１は、各番組の番組情報データのうち、例えば同一のＢｒｏａｄｃａｓｔｅｒＩＤ、タイトル名、開始時間、及び終了時間の番組が複数ある場合、それらの番組がサイマル放送されているサイマル番組であることを検出する。ＢｒｏａｄｃａｓｔｅｒＩＤは、放送局の識別情報である。タイトル名、開始時間、終了時間のそれぞれは、番組のタイトル名（番組名）、番組の開始時間、番組の終了時間のそれぞれを示す。
【００２６】
なお、サイマル検出部１７５１は、ＢｒｏａｄｃａｓｔｅｒＩＤ、タイトル名、開始時間、及び終了時間のうちの一部の情報に基づいて、サイマル番組を検出してもよい。例えば、サイマル検出部１７５１は、ＢｒｏａｄｃａｓｔｅｒＩＤと、タイトル名と、開始時間または終了時間のいずれか一方とに基づいてサイマル番組を検出してもよいし、タイトル名と開始時間または終了時間のいずれか一方とに基づいてサイマル番組を検出してもよい。
【００２７】
また、タイトル名は、同一内容のサイマル番組であっても一部が異なる場合がある。そのため、サイマル検出部１７５１は、少なくとも一部のタイトル名が一致（部分一致）することにより、同一タイトル名と判断してもよい。一例として、番組のタイトル名に汎用的に使用されやすい文字としてＡＲＩＢで設定されている外字がある。図３は、外字の一例を示す図である。このような外字は、サイマル放送ではサイマル番組ごとに変更される可能性が高い。そこで、サイマル検出部１７５１は、タイトル名から外字を省いて、一致するか否かの判断を行ってもよい。
【００２８】
図２に戻り、サイマル管理部１７５２は、サイマル検出部１７５１が検出したサイマル番組に関する情報をサイマルデータベース部１７５３のサイマル番組管理テーブルに格納して管理する。図４は、サイマルデータベース部１７５３に記憶されているサイマル番組管理テーブルの一例を示す図である。図示するサイマル番組管理テーブルは、サイマル番組に関する情報を管理するテーブルであり、例えば、番組ＩＤ、サイマルＩＤ、ネットワーク、チャンネル、ＢｒｏａｄｃａｓｔｅｒＩＤ、タイトル名、解像度、デコード方式、受信レベル、開始時間、終了時間などの情報が関連付けられている。番組ＩＤは、この管理テーブルに登録される番組ごとに付与される識別情報である。サイマルＩＤは、サイマル検出部１７５１により同一内容の番組と検出されたサイマル番組に対して同一のＩＤが付与される識別情報である。ネットワークは、番組の放送で使用される放送ネットワークを示す情報（ＢＳや新４Ｋ８ＫＢＳなど、或いはネットワークＩＤでもよい）が格納される。チャンネルは、番組のチャンネル名である。ＢｒｏａｄｃａｓｔｅｒＩＤは、上述したように放送局の識別情報であり、「０ｘ」を付加した１６進表記の記述形式で表される。タイトル名、解像度、デコード方式、開始時間、終了時間のそれぞれは、番組のタイトル名（番組名）、映像の解像度、映像のデコード方式、番組の開始時間、番組の終了時間のそれぞれを示す。
【００２９】
また、サイマル管理部１７５２は、さらに各番組の放送信号の受信レベル（受信強度）をサイマル番組管理テーブルに格納してもよい。受信レベルとは、番組の放送信号の受信レベル（受信強度）である。例えば、受信レベルは、復調部１７１で復調した放送信号の信号レベル、または分離部１７２で分離した映像信号の信号レベルなどに基づいて予め設定された値である。サイマル管理部１７５２は、復調部１７１または分離部１７２などから放送信号の信号レベルを取得して、サイマル番組管理テーブルに格納してもよい。
【００３０】
なお、図４に示すサイマル番組管理テーブルに管理される情報は一例であって、これらの情報の一部が省かれてもよく、また、他の情報がさらに関連付けられてもよい。
【００３１】
図２に戻り、サイマル選択表示部１７５４は、サイマル検出部１７５１により検出されたサイマル番組の中に特定の番組のサイマル番組がある場合、その特定の番組のサイマル番組があることを示す通知情報を出力する通知部の一例として機能する。例えば、サイマル選択表示部１７５４は、特定の番組のサイマル番組があることを示す表示情報を、通知情報として映像処理部１７４に出力してもよい。これにより、映像処理部１７４は、特定の番組のサイマル番組があることを示す表示情報を表示部１５にオンスクリーン表示させる（例えば、図１の符号Ｄ１が示すダイアログ表示参照）。なお、サイマル選択表示部１７５４は、特定の番組のサイマル番組があることを示す表示情報と、特定の番組のサイマル番組を選択可能な操作子を示す表示情報とを、通知情報として映像処理部１７４に出力してもよい。
【００３２】
また、特定の番組とは、例えば、選局中の番組である。サイマル選択表示部１７５４は、受信装置１０の電源が起動されたタイミング、または番組が切り替えられたタイミングに応じて、サイマル番組がある場合に通知情報を出力する。
【００３３】
次に、受信装置１０のサイマル処理部１７５が実行する処理の動作を説明する。
（サイマル番組検出処理）
まず、図５を参照して、サイマル処理部１７５が放送番組の中からサイマル番組を検出するサイマル番組検出処理の動作を説明する。図５は、本実施形態に係るサイマル番組検出処理の一例を示すフローチャートである。
【００３４】
（ステップＳ１０１）サイマル処理部１７５は、分離部１７２で分離した各番組の番組情報データから同一のタイトル名の番組を抽出する。そして、ステップＳ１０３の処理に進む。
【００３５】
（ステップＳ１０３）サイマル処理部１７５は、ステップＳ１０１で抽出された同一のタイトル名の番組の中から、さらに同一のＢｒｏａｄｃａｓｔｅｒＩＤの番組を抽出する。そして、ステップＳ１０５の処理に進む。
【００３６】
（ステップＳ１０５）サイマル処理部１７５は、ステップＳ１０３で抽出された同一のＢｒｏａｄｃａｓｔｅｒＩＤの番組の中から、さらに開始時間及び終了時間が同一の番組を抽出する。そして、ステップＳ１０７の処理に進む。
【００３７】
（ステップＳ１０７）サイマル処理部１７５は、ステップＳ１０７で複数の番組が抽出されたか否かを判定する。複数の番組が抽出されなかった場合（ＮＯ）、サイマル処理部１７５は、サイマル番組が検出されなかったため、サイマル番組検出処理を終了する。一方、複数の番組が抽出された場合（ＹＥＳ）、サイマル処理部１７５は、ステップＳ１０９の処理に進む。
【００３８】
（ステップＳ１０９）サイマル処理部１７５は、抽出された複数の番組をサイマル番組としてサイマルデータベース部１７５３のサイマル番組管理テーブルに登録する。具体的には、サイマル処理部１７５は、抽出された複数の番組に同一のサイマルＩＤを付与してサイマル番組管理テーブルに登録する（例えば、図４参照）。
【００３９】
次に、図６を参照して、視聴中の番組にサイマル番組がある場合に、サイマル番組があることをサイマル処理部１７５が通知するサイマル番組通知処理の動作を説明する。図６は、本実施形態に係るサイマル番組通知処理の一例を示すフローチャートである。このサイマル番組通知処理は、例えば、受信装置１０の電源が起動されたタイミング、または番組が切り替えられたタイミングで実行される。
【００４０】
（ステップＳ２０１）サイマル処理部１７５は、選局中（視聴中）の番組にサイマル番組があるか否かを判定する。具体的には、サイマル処理部１７５は、サイマルデータベース部１７５３のサイマル番組管理テーブル（例えば、図４参照）を参照して、選局中の番組にサイマル番組があるか否かを判定する。選局中の番組にサイマル番組が無いと判定された場合（ＮＯ）、サイマル処理部１７５は、サイマル番組通知処理を終了する。一方、選局中の番組にサイマル番組があると判定された場合（ＹＥＳ）、サイマル処理部１７５は、ステップＳ２０３の処理に進む。
【００４１】
（ステップＳ２０３）サイマル処理部１７５は、選局中（視聴中）の番組にサイマル番組があることを示す通知情報（表示情報）を表示部１５にオンスクリーン表示（例えば、ダイアログ表示）させる。例えば、サイマル処理部１７５は、選局中の番組が４Ｋ映像のサイマル番組である場合、２Ｋ映像のサイマル番組があることを示す表示情報（例えば、「２Ｋサイマル放送番組があります」：図１の符号Ｄ１が示すダイアログ表示参照）を表示させる。
【００４２】
なお、サイマル処理部１７５は、選局中の番組にサイマル番組があることを示す表示情報に加えて、選局中の番組のサイマル番組を選択可能な操作子を示す表示情報を表示させてもよい。例えば、サイマル処理部１７５は、選局中の番組が４Ｋ映像のサイマル番組である場合、２Ｋ映像のサイマル番組にチャンネルを切り替え可能な操作子（アイコンなど）を表示させてもよい。また、サイマル処理部１７５は、選局中の番組が２Ｋ映像のサイマル番組である場合、４Ｋ映像（または８Ｋ映像）のサイマル番組にチャンネルを切り替え可能な操作子（アイコンなど）を表示させてもよい。
【００４３】
以上説明してきたように、本実施形態に係る受信装置１０は、放送番組の中から同一の番組内容で解像度が異なるサイマル番組を検出するサイマル検出部１７５１（検出部の一例）と、特定の番組（例えば、選局中の番組）のサイマル番組がサイマル検出部１７５１により検出された場合、当該特定の番組のサイマル番組があることを示す通知情報を出力するサイマル選択表示部１７５４（通知部の一例）とを備えている。
【００４４】
これにより、受信装置１０は、同一内容の番組で解像度が異なるサイマル番組が放送されている場合にその旨をユーザに知らせることができる。よって、ユーザは、サイマル番組が放送されていることを知ることができ、解像度が異なる複数のサイマル番組の中から適した解像度のサイマル番組を選局して視聴することができる。
【００４５】
例えば、サイマル選択表示部１７５４は、特定の番組（例えば、選局中の番組）のサイマル番組があることを示す表示情報を、上記の通知情報として出力する。これにより、受信装置１０は、同一内容の番組で解像度が異なるサイマル番組がある場合にその旨を画面に表示させることでユーザに知らせることができる。
【００４６】
また、例えば、サイマル選択表示部１７５４は、特定の番組（例えば、選局中の番組）のサイマル番組があることを示す表示情報と、選局中の番組のサイマル番組を選択可能な操作子を示す表示情報とを、上記の通知情報として出力してもよい。これにより、受信装置１０は、同一内容の番組で解像度が異なるサイマル番組がある場合にその旨を画面に表示させることでユーザに知らせることができるとともに、適した解像度の放送を簡単な操作でユーザが選択可能なようにすることができる。
【００４７】
また、サイマル選択表示部１７５４は、受信装置１０の電源が起動されたタイミング、または選局中の番組が切り替えられたタイミングに応じて、上記の通知情報を出力してもよい。これにより、受信装置１０は、ユーザが番組を視聴しようとしたタイミングで、その番組にサイマル番組がある場合、その旨をユーザに知らせることができる。よって、ユーザは、視聴しようとした番組がサイマル放送がされていることを容易に知ることができる。
【００４８】
なお、サイマル処理部１７５は、選局中の番組よりも解像度の低い映像のサイマル番組がある場合に、上記の通知情報（例えば、サイマル番組があることを示す表示情報）を出力してもよい。これにより、受信装置１０は、高解像度優先のユーザだけでなく、低解像度優先のユーザに対してもサイマル番組があることを知らせることができ、状況や用途に応じて低解像度の番組を視聴することが可能になる。
【００４９】
［第２の実施形態］
次に、本発明の第２の実施形態について説明する。
本実施形態では、ユーザの受信環境により低解像度の映像の方がブロックノイズの発生などが少なく受信品質が良好な場合があるため、選局中の番組の受信品質が悪く、その番組より受信品質の良い低解像度のサイマル番組がある場合にサイマル番組があること通知する例を説明する。
【００５０】
サイマル選択表示部１７５４は、選局中の番組の受信品質が所定の品質未満であり、且つ選局中の番組のサイマル番組が所定の品質以上である場合に、サイマル番組があることを示す通知情報を出力してもよい。所定の品質とは、ユーザの視聴に適しているか否かを判定するための閾値として、ブロックノイズの発生量などに基づいて予め設定された値である。これにより、サイマル選択表示部１７５４は、選局中の番組の受信品質が所定の品質未満であり、且つ選局中の番組のサイマル番組が所定の品質以上である場合に、選局中の番組のサイマル番組があることを示す表示情報を、映像処理部１７４を介して表示部１５にオンスクリーン表示させる。
【００５１】
図７は、表示部１５にオンスクリーン表示させる表示情報の一例を示す図である。この図に示す例は、現在選局中の４Ｋ映像または８Ｋ映像のサイマル番組の受信品質が悪く、他のチャンネルの２Ｋ映像のサイマル番組の受信品質が良い場合の表示例である。符号Ｄ２が示すダイアログ表示の例では、ユーザに通知する情報として、現在選局中の４Ｋ８Ｋ映像のサイマル番組の受信品質が悪いことを示す情報、他のチャンネルで同タイトルのサイマル番組を放送していることを示す情報、そのサイマル番組への切り替えを促す情報、サイマル番組を選択可能な操作子などが表示されている。
【００５２】
具体的には、現在選局中の４Ｋ８Ｋ映像のサイマル番組の受信品質が悪いことを示す情報としては、一例として「受信がよくありません。（現在の番組  新４Ｋ８Ｋ１０１ＣＨ：ワールドニュース）」が表示されている。また、他のチャンネルで同タイトルのサイマル番組を放送していることを示す情報、及び、そのサイマル番組への切り替えを促す情報としては、一例として「ＢＳ１０１ＣＨでも同タイトルの番組を行っていますが切り替えますか？」が表示されている。また、サイマル番組を選択可能な操作子としては、サイマル番組にチャンネルを切り替えるアイコンである「はい」が表示されたアイコンＢＴ２１と、サイマル番組にチャンネルを切り替えないアイコンである「いいえ」が表示されたアイコンＢＴ２２とが表示されている。ユーザがアイコンＢＴ２１を選択する操作を行うと、制御部１７は、現在より低解像度ではあるが受信品質の良い２Ｋ映像のサイマル番組にチャンネルを切り替える。一方、ユーザがアイコンＢＴ２２を選択する操作を行うと、チャンネルの変更を行わない。なお、アイコンＢＴ２１またはアイコンＢＴ２２への操作が行われると、サイマル選択表示部１７５４は、符号Ｄ２が示すダイアログ表示を消去する。
【００５３】
次に、図８を参照して、本実施形態に係るサイマル番組通知処理の動作を説明する。図８は、本実施形態に係るサイマル番組通知処理の一例を示すフローチャートである。このサイマル番組通知処理は、例えば、受信装置１０の電源が起動されたタイミング、または番組が切り替えられたタイミングで実行される。
【００５４】
（ステップＳ３０１）サイマル処理部１７５は、選局中（視聴中）の番組にサイマル番組があるか否かを判定する。具体的には、サイマル処理部１７５は、サイマルデータベース部１７５３のサイマル番組管理テーブル（例えば、図４参照）を参照して、選局中の番組にサイマル番組があるか否かを判定する。選局中の番組にサイマル番組が無いと判定された場合（ＮＯ）、サイマル処理部１７５は、サイマル番組通知処理を終了する。一方、選局中の番組にサイマル番組があると判定された場合（ＹＥＳ）、サイマル処理部１７５は、ステップＳ２０３の処理に進む。
【００５５】
（ステップＳ３０３）サイマル処理部１７５は、選局中の番組の受信品質が悪く、他に受信品質の良いサイマル番組があるか否かを判定する。選局中の番組の受信品質が良いと判定された場合または他に受信品質の良いサイマル番組が無いと判定された場合（ＮＯ）、サイマル処理部１７５は、サイマル番組通知処理を終了する。一方、選局中の番組の受信品質が悪く、他に受信品質の良いサイマル番組があると判定された場合（ＹＥＳ）、サイマル処理部１７５は、ステップＳ３０５の処理に進む。
【００５６】
（ステップＳ３０５）サイマル処理部１７５は、選局中（視聴中）の番組にサイマル番組があることを示す表示情報、サイマル番組への切り替えを促す表示情報、サイマル番組を選択可能な操作子を示す表示情報などを表示させ表示部１５にオンスクリーン表示（例えば、ダイアログ表示）させる（例えば、図７参照）。
【００５７】
以上説明したように、本実施形態に係る受信装置１０は、選局中の番組の受信品質が所定の品質未満であり、且つ選局中の番組のサイマル番組が所定の品質以上である場合に、選局中の番組のサイマル番組があることを示す通知情報を出力する。例えば、受信装置１０は、選局中の番組のサイマル番組があることを示す表示情報、サイマル番組への切り替えを促す表示情報、選局中の番組のサイマル番組を選択可能な操作子を示す表示情報などを表示部１５にオンスクリーン表示させる。
【００５８】
これにより、受信装置１０は、選局中の番組の受信品質が悪い場合に、同一内容の番組で受信品質の良いサイマル番組があることをユーザに知らせること、及び受信品質の良いサイマル番組への切り替えを促すことができる。よって、ユーザは、仮に低解像度であっても受信品質の良い放送を選局して視聴することが可能になる。
【００５９】
［第３の実施形態］
次に、本発明の第３の実施形態について説明する。
本実施形態では、録画対象の番組にサイマル番組がある場合に、サイマル番組があることを通知する例を説明する。例えば、高解像度の映像を録画するには相応の多くの記憶容量が必要となるため、録画する番組によって低解像度の映像で録画したい場合もある。そこで、本実施形態では、サイマル選択表示部１７５４は、番組の録画を予約する操作が行われるタイミングに応じて、サイマル番組があることを示す通知情報を出力する。録画対象の番組の録画を予約する操作が行われるタイミングとは、例えば、電子番組表から録画予約したい番組を選択（選局）したタイミングである。これにより、サイマル選択表示部１７５４は、番組の録画を予約する操作が行われた場合に、録画予約したい番組のサイマル番組があることを示す表示情報を、映像処理部１７４を介して表示部１５にオンスクリーン表示させる。
【００６０】
図９は、表示部１５にオンスクリーン表示させる表示情報の一例を示す図である。この図に示す例は、ユーザが録画予約しようとしている番組が８Ｋ映像の番組であって、この番組の２Ｋ映像のサイマル番組がある場合の表示例である。符号Ｄ３が示すダイアログ表示の例では、ユーザに通知する情報として、同タイトルの２Ｋ映像のサイマル番組を放送していることを示す情報、現在のチャンネルでは８Ｋ映像の録画であることを示す情報、録画容量を抑えることが優先の場合には低解像度のサイマル番組を促す情報、録画予約するサイマル番組を選択可能な操作子などが表示されている。
【００６１】
具体的には、同タイトルの２Ｋ映像のサイマル番組を放送していることを示す情報としては、一例として、「このタイトルには２Ｋサイマル放送番組があります。」が表示されている。また、現在のチャンネルでは８Ｋ映像の録画であることを示す情報としては、「こちらのチャンネルでは８Ｋ高画質で録画できます。」が表示されている。また、録画容量を抑えることが優先の場合には低解像度のサイマル番組を促す情報として、「ＨＤＤの録画容量を抑えるには２Ｋサイマル放送番組の録画が適しています。」が表示されている。
【００６２】
また、録画予約するサイマル番組を選択可能な操作子としては、録画容量を抑えることを優先した録画を選択するためのアイコンである「２Ｋで録画」が表示されたアイコンＢＴ３１と、高画質を優先した録画を選択するためのアイコンである「８Ｋで録画」が表示されたアイコンＢＴ３２とが表示されている。ユーザがアイコンＢＴ３１を選択する操作を行うと、制御部１７は、２Ｋ映像のサイマル番組の録画予約を設定する。一方、ユーザがアイコンＢＴ２２を選択する操作を行うと、８Ｋ映像のサイマル番組の録画予約を設定する。なお、アイコンＢＴ３１またはアイコンＢＴ３２への操作が行われると、サイマル選択表示部１７５４は、符号Ｄ３が示すダイアログ表示を消去する。
【００６３】
次に、図１０を参照して、本実施形態に係るサイマル番組通知処理の動作を説明する。図１０は、本実施形態に係るサイマル番組通知処理の一例を示すフローチャートである。このサイマル番組通知処理は、例えば、番組の録画を予約する操作が行われるタイミングで実行される。
【００６４】
（ステップＳ４０１）サイマル処理部１７５は、例えばユーザの操作により電子番組表から選択（選局）された録画対象の番組にサイマル番組があるか否かを判定する。具体的には、サイマル処理部１７５は、サイマルデータベース部１７５３のサイマル番組管理テーブル（例えば、図４参照）を参照して、録画対象の番組にサイマル番組があるか否かを判定する。録画対象の番組にサイマル番組が無いと判定された場合（ＮＯ）、サイマル処理部１７５は、サイマル番組通知処理を終了する。一方、録画対象の番組にサイマル番組があると判定された場合（ＹＥＳ）、サイマル処理部１７５は、ステップＳ４０３の処理に進む。
【００６５】
（ステップＳ４０３）サイマル処理部１７５は、録画対象の番組にサイマル番組があることを示す表示情報と、サイマル番組を選択可能な操作子とを表示部１５にオンスクリーン表示（例えば、ダイアログ表示）させる。例えば、サイマル処理部１７５は、録画対象の番組が８Ｋ映像のサイマル番組である場合、２Ｋ映像のサイマル番組があることを示す表示情報（例えば、「このタイトルには２Ｋサイマル放送番組があります。」：図９参照）と、２Ｋ映像のサイマル番組を録画対象として選択可能な操作子（例えば、アイコンＢＴ３１：図９参照）と、８Ｋ映像のサイマル番組を録画対象として選択可能な操作子（例えば、アイコンＢＴ３２：図９参照）とを表示させる。また、サイマル処理部１７５は、録画容量を抑えることが優先の場合には低解像度のサイマル番組を促す情報（例えば、「ＨＤＤの録画容量を抑えるには２Ｋサイマル放送番組の録画が適しています。」：図９参照）を表示させてもよい。
【００６６】
以上説明したように、本実施形態に係る受信装置１０は、録画対象の番組の録画を予約する操作が行われるタイミングに応じて、録画対象の番組のサイマル番組があることを示す通知情報を出力する。例えば、受信装置１０は、録画対象の番組のサイマル番組があることを示す表示情報と、録画対象の番組のサイマル番組を選択可能な操作子を示す表示情報とを表示部１５にオンスクリーン表示させる。
【００６７】
これにより、受信装置１０は、録画対象の番組と同一内容の番組で解像度が異なるサイマル番組がある場合にその旨をユーザに知らせることができる。よって、ユーザは、サイマル番組があることを知ることができ、高画質で録画したいのか、或いは録画容量を抑えて録画したいのかによって、適した解像度の放送を容易に選局して録画することができる。
【００６８】
なお、受信装置１０は、録画対象の番組の録画を開始する操作が行われるタイミングに応じて、録画対象の番組のサイマル番組があることを示す通知情報を出力してもよい。
【００６９】
なお、受信装置１０は、録画対象の前記特定の番組よりも低い解像度のサイマル番組がある場合に、上記の通知情報（例えば、サイマル番組があることを示す表示情報）を出力してもよい。これにより、受信装置１０は、高解像度優先のユーザだけでなく、低解像度優先のユーザに対してもサイマル番組があることを知らせることができ、録画容量を抑えた録画をユーザが容易に行うことが可能になる。
【００７０】
以上、図面を参照してこの発明の一実施形態について詳しく説明してきたが、具体的な構成は上述のものに限られることはなく、この発明の要旨を逸脱しない範囲内において様々な設計変更等をすることが可能である。
【００７１】
例えば、上記実施形態では、サイマル番組があることを示す通知情報として、サイマル番組があることを示す表示情報を出力する例を説明したが、通知情報は、表示情報に限定されるものではない。例えば、サイマル番組があることを示す通知情報として、サイマル番組があることを示す音声情報を出力する構成としてもよい。
【００７２】
また、図３に示すサイマル番組管理テーブルは、電子番組表を生成するために受信装置１０が別途有する番組表データベースを拡張して構成してもよい。
【００７３】
また、上記実施形態では、各番組の番組情報データ（ＢｒｏａｄｃａｓｔｅｒＩＤ、タイトル名、番組の開始時間、番組終了時間など）に基づいて、サイマル番組を検出する例を説明したが、放送信号に各番組のサイマル番組を特定可能な情報としてのサイマル記述子が含まれる場合、そのサイマル記述子を用いてサイマル番組を検出する構成としてもよい。
【００７４】
なお、上述した実施形態における受信装置１０の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、受信装置１０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００７５】
また、受信装置１０の一部又は全部を、ＬＳＩ（Ｌａｒｇｅ  Ｓｃａｌｅ  Ｉｎｔｅｇｒａｔｉｏｎ）等の集積回路として実現してもよい。また、本実施形態の受信装置１０内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【００７６】
また、上記実施形態では、受信装置１０が表示部１５を備えたテレビの構成例を説明したが、受信装置１０は、表示部１５を備えていない構成としてもよい。例えば、受信装置１０は、外部の表示装置（テレビ、モニターなど）に映像信号を出力するテレビチューナ内蔵の受信装置であってもよく、例えば、テレビ放送の受信、録画及び再生が可能なハードディスクレコーダ、Ｂｌｕ−ｒａｙ（登録商標）レコーダやＤＶＤレコーダなど、又はそれらを組み合わせた受信装置であってもよい。
【符号の説明】
【００７７】
１  受信システム、１０  受信装置、１１  放送受信部、１２  通信部、１３  操作受付部、１４  音声出力部、１５  表示部、１６  記憶部、１７  制御部、１７１  復調部、１７２  分離部、１７３  音声処理部、１７４  映像処理部、１７５  サイマル処理部、１７５１  サイマル検出部、１７５２  サイマル管理部、１７５３  サイマルデータベース部、１７５４  サイマル選択表示部
【図１】
2020022138.tif 000003
【図２】
2020022138.tif 000004
【図３】
2020022138.tif 000005
【図４】
2020022138.tif 000006
【図５】
2020022138.tif 000007
【図６】
2020022138.tif 000008
【図７】
2020022138.tif 000009
【図８】
2020022138.tif 000010
【図９】
2020022138.tif 000011
【図１０】
2020022138.tif 000012